(57)【要約】【課題】廃棄時における分別回収のため、コンパクト容器蓋体裏面からの鏡取外しが容易とした。【解決手段】蓋体１１周壁の前壁部１３ｂ　ないし左右側壁部１３ｃ　の一部に切欠き２２を設け、該切欠き内方の頂壁１２外周部下面から一対の脚板１９，１９　と脚板下端間に架設した底板２０とからなる保持部２１を垂下させ、摺動板３２外縁から指掛け板３３を垂下する摺動部材３１の摺動板を、上記底板２０と頂壁１２との間へ嵌合させ、かつ切欠き２２内へ指掛け板３３を位置させて設け、又摺動板内端部の上部を除去して下部で形成した支持板部３７で鏡１７の下面一部を支持させ、又鏡の他方側部下面を切欠き２２と対向する側の蓋体周壁部分内面の係合突条１８で支持させ、指掛け板３３を強制的に外方へ引出すことで、支持板部３７が鏡下面から離脱可能とした。【選択図】　図１
2004033302.tif 000002
【特許請求の範囲】
【請求項１】
容器本体周壁の後部へ蓋体周壁の後部を枢着させ、かつ蓋体頂壁の下面へ鏡を付設したコンパクト容器において、
蓋体周壁の前壁部１３ｂ　ないし左右側壁部１３ｃ，１３ｃ　の一部を切欠き２２すると共に、該切欠き内方の頂壁外周部下面から、一対の脚板１９，１９　下端間に底板２０を横設した凹字形状の保持部２１を、底板２０と頂壁１２との間の間隙を蓋体内外方向へ向けて垂下させ、
又上記間隙内へ嵌合させた摺動板３２外縁から上記切欠き２２内へ位置させて指掛け板３３を垂下する断面Ｌ字状の摺動部材３１を設け、
更に摺動板３２内端部の上部を除去して下方板部分を支持板部３７とすると共に、摺動部材３１と対向する蓋体周壁部分上部に係合突条１８を横設し、
蓋体頂壁の下面へ当接させた鏡１７の一方側部下面を係合突条１８上面で、かつ他方側部下面を支持板部３７で、それぞれ支持させ、
上記摺動部材３１は、指掛け板３３を介して摺動板３２を強制引出しすることで移動可能とし、該移動で支持板部３７が鏡下面から離脱可能に形成した
ことを特徴とする鏡付きコンパクト容器。
【請求項２】
上記摺動板３２の外端部を肉薄の弾性屈曲部３８とすると共に底板２０下部外縁を指掛け板３３の上部内面へ近接ないし当接させておき、
蓋板開蓋状態で指掛け板下部を底板２０の下方へ押込みすることでの、底板下部外縁との接触部を支点とする指掛け板３３の回動による摺動板３２の外方移動で、鏡下面から支持板部３７が離脱可能に形成した
ことを特徴とする、請求項１記載の鏡付きコンパクト容器。
【請求項３】
上記摺動板３２の内方部上面を外方部上面よりも低く形成して、該低上面の摺動板部分へ、凹字状の切割溝３４を穿設し、かつ該切割溝が三方を囲む摺動板部分の下面を削除することで、摺動板内方側から外方側へ突出する肉薄の弾性板３５を形成し、かつ該弾性板の外方側上面へ第２突部３６を、かつ該第２突部と上記高上面部の内端部との間へ垂下して第２突部３６と係合する第３突部２５を蓋体頂壁１２の下面へ、それぞれ付設した
ことを特徴とする、請求項１又は２記載の鏡付きコンパクト容器。
【請求項４】
容器本体周壁前壁部２ｂの上方前部を第２凹部４として、該第２凹部下方の前壁部分上方前部に斜上後方への緩い傾斜面５を形成し、
上記切欠き２２を傾斜面５上方の蓋体周壁前壁部１３ｂ　に設け、又保持部２１の底板２０から第２フック２３を垂下させて、第２凹部奥壁の上方前面に係合突条８を横設させて、ないし第２凹部４底面から起立させて形成した第１フック９へ係合させ、
更に指掛け板３３の上端後部に肉薄の弾性屈曲部３８を形成させ、かつ該指掛け部の下端を傾斜面５下端へ係合ないし近接させて、該指掛け板後方押込みにより、傾斜面に沿い上昇した指掛け板３３が蓋体前部を押上げて第１、第２フック９，２３　の係合が離脱可能に形成した
ことを特徴とする、請求項１、２又は３記載の鏡付きコンパクト容器。
【発明の詳細な説明】
【０００１】
【発明の属する技術分野】
本発明は鏡付きのコンパクト容器に関する。
【０００２】
【従来の技術】
コンパクト容器は通常蓋体裏面へ鏡を付設している。
【０００３】
【発明が解決しようとする課題】
資源活用のため、異にする複数材で形成されている物品は、廃棄時各材料毎に分別して廃棄することが求められている。コンパクト容器は通常合成樹脂材で形成されているが、蓋体裏面には鏡が付設されているから該鏡の取外しが必要となる。
【０００４】
本発明は蓋体裏面の鏡取外しが容易であるよう設けたものであり、又請求項４記載の場合は、併せて容器の開蓋が容易であるよう設けたものである。
【０００５】
【課題を解決するための手段】
第１の手段として容器本体周壁の後部へ蓋体周壁の後部を枢着させ、かつ蓋体頂壁の下面へ鏡を付設したコンパクト容器において、
蓋体周壁の前壁部１３ｂ　ないし左右側壁部１３ｃ，１３ｃ　の一部を切欠き２２すると共に、該切欠き内方の頂壁外周部下面から、一対の脚板１９，１９　下端間に底板２０を横設した凹字形状の保持部２１を、底板２０と頂壁１２との間の間隙を蓋体内外方向へ向けて垂下させ、
又上記間隙内へ嵌合させた摺動板３２外縁から上記切欠き２２内へ位置させて指掛け板３３を垂下する断面Ｌ字状の摺動部材３１を設け、
更に摺動板３２内端部の上部を除去して下方板部分を支持板部３７とすると共に、摺動部材３１と対向する蓋体周壁部分上部に係合突条１８を横設し、
蓋体頂壁の下面へ当接させた鏡１７の一方側部下面を係合突条１８上面で、かつ他方側部下面を支持板部３７で、それぞれ支持させ、
上記摺動部材３１は、指掛け板３３を介して摺動板３２を強制引出しすることで移動可能とし、該移動で支持板部３７が鏡下面から離脱可能に形成した。
【０００６】
第２の手段として、上記第１の手段を有すると共に上記摺動板３２の外端部を肉薄の弾性屈曲部３８とすると共に底板２０下部外縁を指掛け板３３の上部内面へ近接ないし当接させておき、
蓋板開蓋状態で指掛け板下部を底板２０の下方へ押込みすることでの、底板下部外縁との接触部を支点とする指掛け板３３の回動による摺動板３２の外方移動で、鏡下面から支持板部３７が離脱可能に形成した。
【０００７】
第３の手段として、上記第１又は第２の手段を有すると共に上記摺動板３２の内方部上面を外方部上面よりも低く形成して、該低上面の摺動板部分へ、凹字状の切割溝３４を穿設し、かつ該切割溝が三方を囲む摺動板部分の下面を削除することで、摺動板内方側から外方側へ突出する肉薄の弾性板３５を形成し、かつ該弾性板の外方側上面へ第２突部３６を、かつ該第２突部と上記高上面部の内端部との間へ垂下して第２突部３６と係合する第３突部２５を蓋体頂壁１２の下面へ、それぞれ付設した。
【０００８】
第４の手段として、上記第１、第２又は第３の手段を有すると共に容器本体周壁前壁部２ｂの上方前部を第２凹部４として、該第２凹部下方の前壁部分上方前部に斜上後方への緩い傾斜面５を形成し、
上記切欠き２２を傾斜面５上方の蓋体周壁前壁部１３ｂ　に設け、又保持部２１の底板２０から第２フック２３を垂下させて、第２凹部奥壁の上方前面に係合突条８を横設させて、ないし第２凹部４底面から起立させて形成した第１フック９へ係合させ、
更に指掛け板３３の上端後部に肉薄の弾性屈曲部３８を形成させ、かつ該指掛け部の下端を傾斜面５下端へ係合ないし近接させて、該指掛け板後方押込みにより、傾斜面に沿い上昇した指掛け板３３が蓋体前部を押上げて第１、第２フック９，２３　の係合が離脱可能に形成した。
【０００９】
【発明の実施の形態】
以下図面について説明する。まず図１から図３が示す実施形態について説明すると、１は容器本体で底壁外周から周壁２を起立し、該周壁の後壁部２ａの左右方向中間後部を第１凹部３に形成し、又前壁部２ｂの左右方向中間部の上半前部を第２凹部４とし、かつ第２凹部下方前壁部分の前面上部に斜上後方への傾斜面５を形成し、該傾斜面の下端前方を水平面６に、かつ傾斜面上端上方に垂直面７を形成し、又第２凹部奥壁の上方前部に係合突条８を横設して該係合突条を有する奥壁部分を第１フック９に形成している。
【００１０】
尚該第１フック９は第２凹部底面から別に起立させてもよい。又水平面６および傾斜面５の左右方向中間部には、後述指掛け板押込み用の第３凹部１０を設けるとよい。
【００１１】
１１は蓋体で、頂壁１２外周から周壁１３を垂下させ、該周壁の後壁部１３ａ　の左右方向中間部を垂下させて軸板１４となし、該軸板を容器本体後壁部の第１凹部３内へ嵌合させ、その第１凹部左右両側の後壁部部分と軸板１４とをピン１５で枢着させて蓋体による、容器本体上面の開閉が自在に形成している。
【００１２】
蓋体の頂壁１２裏面には下面開口の第４凹部１６が形成してあり、該第４凹部内へは鏡１７を嵌合させ、図示例では蓋体周壁の後壁部上方内面に付設した係合突条１８で鏡の後部下面を支持させ、又鏡の前部下面を後述の支持板部で支持させている。
【００１３】
蓋体頂壁の前部下面からは、左右一対の脚板１９，１９　下端間に底板２０を横設した凹字形状の保持部２１を垂下させている。該保持部は底板２０と頂壁１２との間隙を蓋体内外方向に向けており、その保持部前方の蓋体前壁部部分は切欠き２２を穿設している。図示例では底板２０の前後方向中間部から第２フック２３を垂下させて既述第１フック９と係合させており、底板前端部下面からは第１突部２４を垂下させている。又底板上方の頂壁部分下面には第３突部２５を付設している。
【００１４】
３１は摺動部材で、上記間隙内へ嵌合させた摺動板３２の前端から上記切欠き２２内へ位置させて指掛け板３３を垂下する。図示例において摺動板３２は、内方部上面を外方部上面よりも低く形成し、該低上面の摺動板部分へ、図３が示すように凹字状の切割溝３４を穿設して、該切割溝が三方を囲む摺動板部分を、摺動板後部から前方へ突出する弾性板３５に形成している。該弾性板３５は図１が示すように下面を削除して肉薄板とする。又該弾性板の外方側上面には既述第３突部２５後面へ係合させる第２突部３６を付設し、第３突部２５は第２突部３６と高上面部との間に位置させている。
【００１５】
更に摺動板３２の後部は保持部後方へ突出し、その上面を削除してその下方板部分を支持板部３７となし、該支持板部上へ鏡１７の前端部下面を係合させている。更に又摺動板前端部は下面を削除して肉薄の弾性屈曲部３８としている。指掛け板３３は既述水平面６上面へその下端面を載置させ、その下端後縁を傾斜面５下端へ当接させている。
【００１６】
上記の図１の状態から指掛け板３３下部を後方押込みすると、指掛け板３３下端が傾斜面５に沿って押上げられることで、該指掛け板が蓋体頂壁の前部を押上げ、該蓋体前部上昇により第１、第２フック９，２３　の係合が外れ、よってそのまま指掛け板３３を押上げすることで開蓋でき、又閉蓋の際は蓋体前部押下げにより上記両フックが係合して閉蓋状態を保持する。
【００１７】
コンパクト容器廃棄の際は、図２が示すように、開蓋状態から指掛け板３３下部を後方へ押込む。すると底板２０の下端前縁へ指掛け板上部が接し、更に後方押込みすることで上記接した位置を支点として指掛け板３３が回動することとなり、弾性屈曲部３８を介して摺動板３２が前方引出しされ、よって弾性板３５が弾性変形することで第２突部３６が第３突部２５を乗越え、このとき鏡１７の前部下面から支持板部３７が離脱し、よって鏡１７を蓋体裏面から外すことが出来る。
【００１８】
図４と図５とは変形例を示す。該変形例は指掛け板３３の長さを、蓋体周壁の上下方向長さとほぼ等しく設けた例を示し、この場合は摺動板３２前端部に弾性屈曲部を有しない。この場合は指掛け板３３下端を外方へ強く引くことで摺動板３２を外方へ引き出し、支持板部３７を鏡下面から外すことが出来る。その他部分は図１の場合と同様に形成すればよい。
【００１９】
既述実施形態および変形例にあっては、摺動部材３１を蓋体前部下面へ付設する場合について説明したが、上記変形例のように形成する場合は蓋体の左右側部下面へ設けることも出来、又弾性板３５、第２、第３突部３６，２５　も必ずしも必要としない。
【００２０】
【発明の効果】
本発明は既述構成とするもので、請求項１記載の構成とすることで、鏡の取外しが容易である。
【００２１】
請求項２のようにすることで、鏡の一部下面を支持する摺動板３２の外方抜出しが容易となる。
【００２２】
請求項３のようにすることで、更にその摺動板３２の外方抜き出しが容易である。
【００２３】
請求項４のようにすることで、摺動板抜出し用の指掛け板３３に開蓋機能を兼用させることが出来る。
【図面の簡単な説明】
【図１】本発明容器の断面図である。
【図２】鏡取外し方法を示す説明図である。
【図３】主要部材の斜視図である。
【図４】変形例部材を付設した蓋体を下面側からみた斜視図である。
【図５】図４状態から鏡支持板部を外方へ摺動させて示す斜視図である。
【符号の説明】
４…第２凹部　　　　　　　　　５…傾斜面
９…第１フック　　　　　　　　　　１７…鏡
１９…脚板　　　　　　　　　　　　　　　　２０…底板
２３…第２フック　　　　　　　　　　　　　３１…摺動部材
３２…摺動板　　　　　　　　　　３３…指掛け板
３４…切割溝　　　　　　　　　　３５…弾性板
３７…支持板部　　　　　　　　　３８…弾性屈曲部
【図１】
2004033302.tif 000003
【図２】
2004033302.tif 000004
【図３】
2004033302.tif 000005
【図４】
2004033302.tif 000006
【図５】
2004033302.tif 000007